(57)【要約】【課題】ＣＰＵに接続された信号線から高周波のノイズが発生することを防止する。【解決手段】高い周波数で動作する高速ＣＰＵ１１と、低い動作周波数で動作し、高速ＣＰＵ１１からの指示情報等をシリアルインターフェース１１１を介して受け付け、受け付けた指示情報等をバス２３を介して低い周波数での動作が可能な低速動作デバイス２２及び低速動作ユニット２４に伝送する低速ＣＰＵ２１とを備え、高速ＣＰＵ１１は、この高速ＣＰＵ１１に近接して配設された低速ＣＰＵ２１及びシリアルインターフェース１１１を介して、低速動作デバイス２２及び低速動作ユニット２４から動作状態情報等を受け付ける。【選択図】図１
2007150727.tif 000002
【特許請求の範囲】
【請求項１】
第１の周波数で動作し、当該電子機器の全体の動作を制御する第１のプロセッサと、
前記第１の周波数未満の第２の周波数での動作が可能な低速動作手段と、
前記低速動作手段からの第１の情報を信号線を介して受け付けると共に、前記第１のプロセッサに近接して配設され、前記第２の周波数で動作する第２のプロセッサとを備え、
前記第１のプロセッサは、前記第２のプロセッサを介して前記低速動作手段から前記第１の情報を受け付けることを特徴とする電子機器。
【請求項２】
前記第１のプロセッサは、前記第２のプロセッサを介して前記低速動作手段に対して第２の情報を伝送することを特徴とする請求項１に記載の電子機器。
【請求項３】
前記第１のプロセッサは、前記第２のプロセッサとシリアルインターフェースによって通信することを特徴とする請求項１又は２に記載の電子機器。
【請求項４】
前記第１の周波数は、前記第２の周波数の所定数倍以上の周波数であることを特徴とする請求項１〜３のいずれかに記載の電子機器。
【請求項５】
前記低速動作手段は、外部からの操作情報を受け付ける操作受付手段、外部から視認可能に画像を表示する表示手段、及び、所定の状態量を検出する検出手段の少なくともいずれか１つを含むことを特徴とする請求項１〜４のいずれかに記載の電子機器。
【請求項６】
ファクシミリ機能を有する画像形成装置であって、
前記低速動作手段は、電話回線を介して画像データの送受信を行うモデム及び網制御回路の少なくとも一方を含むことを特徴とする請求項１〜５のいずれかに記載の電子機器。
【発明の詳細な説明】
【技術分野】
【０００１】
本発明は、複数のプロセッサを備えた電子機器に関するものである。より詳しくは、複数のプロセッサを備えた画像形成装置に関するものである。
【背景技術】
【０００２】
ファクシミリ機能を有する画像形成装置（例えば、ファクシミリ装置）において、ファクシミリ機能により画像データの送受信を行う場合には、画像データの符号化及び復号を行うコーデック（ＣＯＤＥＣ：Ｃｏｄｅｒ  ａｎｄ  Ｄｅｃｏｄｅｒ）を備える必要がある。
【０００３】
近年、コスト削減の観点から、集積回路で実現されていたコーデック（以下、ハードコーデックという）の機能をソフトウェアで機能的に実現する技術（以下、ソフトコーデックという）が開示されている（例えば、特許文献１参照）。しかしながら、ハードコーデックと同等程度の処理能力を有するソフトコーデックを実現するためには、ソフトウェアを実行するＣＰＵ（Ｃｅｎｔｒａｌ  Ｐｒｏｃｅｓｓｉｎｇ  Ｕｎｉｔ：中央処理装置）の動作周波数を高くする必要がある。
【特許文献１】特開２００４−１５３７６９号公報
【発明の開示】
【発明が解決しようとする課題】
【０００４】
一方、ファクシミリ装置には、ユーザからの操作を受け付けるタッチパネル等がＣＰＵから離間して配設され、タッチパネルとＣＰＵとの間は、ワイヤーハーネス等の信号線によって接続されている。そこで、上述のように、ソフトコーデック等を実現するためにＣＰＵの動作周波数を高くする程、タッチパネルとＣＰＵとの間等の信号線から高周波の電磁ノイズが発生する場合があるという課題があった。
【０００５】
本発明は、かかる課題に鑑みてなされたものであり、ＣＰＵに接続された信号線から高周波の電磁ノイズが発生することを抑制する電子機器を提供することを目的としている。
【課題を解決するための手段】
【０００６】
上記目的を達成するために、請求項１記載の電子機器は、第１の周波数で動作し、当該電子機器の全体の動作を制御する第１のプロセッサと、前記第１の周波数未満の第２の周波数での動作が可能な低速動作手段と、前記低速動作手段からの第１の情報を信号線を介して受け付けると共に、前記第１のプロセッサに近接して配設され、前記第２の周波数で動作する第２のプロセッサとを備え、前記第１のプロセッサは、前記第２のプロセッサを介して前記低速動作手段から前記第１の情報を受け付けることを特徴としている。
【０００７】
この構成によれば、第１の周波数で動作する第１のプロセッサによって、当該電子機器の全体の動作が制御される。そして、第１の周波数未満の第２の周波数で動作する第２のプロセッサによって、第２の周波数での動作が可能な低速動作手段からの第１の情報が信号線を介して受け付けられる。更に、第１のプロセッサによって、この第１のプロセッサに近接して配設された第２のプロセッサを介して低速動作手段から第１の情報が受け付けられる。なお、信号線は、ハーネス、ケーブル、印刷回路基板上の導体パターン等を含むものとする。
【０００８】
従って、第１の周波数で動作する第１のプロセッサによって、この第１のプロセッサに近接して配設され、第１の周波数未満の第２の周波数で動作する第２のプロセッサを介して、第２の周波数での動作が可能な低速動作手段から第１の情報が受け付けられるため、低速動作手段からの第１の情報を第１のプロセッサに伝送する際に発生する高周波の電磁ノイズを抑制することが可能となる。
【０００９】
すなわち、第１のプロセッサと低速動作手段とが直接接続されている場合には、低速動作手段からの第１の情報を第１のプロセッサに伝送する際に、その間に配設された第１の情報を伝達するための信号線において高周波の電磁ノイズが発生する。これに対して、上記の構成によれば、第１の情報を第１のプロセッサに伝送する際に、まず、第１の情報を第１の周波数未満の第２の周波数で動作する第２のプロセッサに伝送するため、その間に配設された第１の情報を伝達するための信号線においては、高周波の電磁ノイズは発生しない。そして、第１のプロセッサと第２のプロセッサとが近接して配設されているため、第１の情報を第２のプロセッサから第１のプロセッサに伝送するための信号線において発生する高周波の電磁ノイズは抑制される。
【００１０】
請求項２記載の電子機器は、前記第１のプロセッサが、前記第２のプロセッサを介して前記低速動作手段に対して第２の情報を伝送することを特徴としている。
【００１１】
この構成によれば、第１のプロセッサによって、第２のプロセッサを介して低速動作手段に対して第２の情報が伝送される。
【００１２】
従って、第１のプロセッサから低速動作手段に対して伝送される第２の情報に関しても、第１のプロセッサに近接して配設され、第１の周波数未満の第２の周波数で動作する第２のプロセッサを介して伝送されるため、第１のプロセッサからの第２の情報を低速動作手段に伝送する際に発生する高周波の電磁ノイズを抑制することが可能となる。
【００１３】
請求項３記載の電子機器は、前記第１のプロセッサが、前記第２のプロセッサとシリアルインターフェースによって通信することを特徴としている。
【００１４】
この構成によれば、第１のプロセッサと第２のプロセッサとの間の通信は、シリアルインターフェースにより行われるため、第１のプロセッサと第２のプロセッサとの間の通信が簡単な構成で実現される。
【００１５】
請求項４記載の電子機器は、前記第１の周波数が、前記第２の周波数の所定数倍以上の周波数であることを特徴としている。
【００１６】
この構成によれば、第１の周波数が、第２の周波数の所定数倍以上の周波数であるため、この所定数が大きい程、第２の周波数が小さくなり、第１のプロセッサと低速動作手段との間において情報を伝送する際に発生する高周波の電磁ノイズを更に抑制することが可能となる。
【００１７】
請求項５記載の電子機器は、前記低速動作手段が、外部からの操作情報を受け付ける操作受付手段、外部から視認可能に画像を表示する表示手段、及び、所定の状態量を検出する検出手段の少なくともいずれか１つを含むことを特徴としている。
【００１８】
この構成によれば、低速動作手段が、外部からの操作情報を受け付ける操作受付手段、外部から視認可能に画像を表示する表示手段、及び、所定の状態量を検出する検出手段の少なくともいずれか１つを含むため、電子機器においてレイアウト上の制約のため（例えば、操作性を確保するため）に、第１のプロセッサから離間して配設されることのある操作受付手段、表示手段、検出手段と第１のプロセッサとの間の情報の伝送により発生する高周波の電磁ノイズを抑制することが可能となる。
【００１９】
請求項６記載の電子機器は、ファクシミリ機能を有する画像形成装置であって、前記低速動作手段は、電話回線を介して画像データの送受信を行うモデム及び網制御回路（以下、ＮＣＵという）の少なくとも一方を含むことを特徴としている。
【００２０】
この構成によれば、ファクシミリ機能を有する画像形成装置において、低速動作手段が、電話回線を介して画像データの送受信を行うモデム及びＮＣＵの少なくとも一方を含むため、第１のプロセッサとの間の情報の伝送により発生する高周波の電磁ノイズを抑制することが可能な、ファクシミリ機能を有する画像形成装置が実現される。
【発明の効果】
【００２１】
請求項１に記載の電子機器によれば、第１の周波数で動作する第１のプロセッサによって、この第１のプロセッサに近接して配設され、第１の周波数未満の第２の周波数で動作する第２のプロセッサを介して、第２の周波数での動作が可能な低速動作手段から第１の情報が受け付けられるため、低速動作手段からの第１の情報を第１のプロセッサに伝送する際に発生する高周波の電磁ノイズを抑制することができる。
【００２２】
請求項２に記載の電子機器によれば、第１のプロセッサから低速動作手段に対して伝送される第２の情報に関しても、第１のプロセッサに近接して配設され、第１の周波数未満の第２の周波数で動作する第２のプロセッサを介して伝送されるため、第１のプロセッサからの第２の情報を低速動作手段に伝送する際に発生する高周波の電磁ノイズを抑制することができる。
【００２３】
請求項３に記載の電子機器によれば、第１のプロセッサと第２のプロセッサとの間の通信は、シリアルインターフェースにより行われるため、第１のプロセッサと第２のプロセッサとの間の通信を簡単な構成で実現できる。
【００２４】
請求項４に記載の電子機器によれば、第１の周波数が、第２の周波数の所定数倍以上の周波数であるため、この所定数が大きい程、第２の周波数が小さくなり、第１のプロセッサと低速動作手段との間において情報を伝送する際に発生する高周波の電磁ノイズを更に抑制することができる。
【００２５】
請求項５に記載の電子機器によれば、低速動作手段が、外部からの操作情報を受け付ける操作受付手段、外部から視認可能に画像を表示する表示手段、及び、所定の状態量を検出する検出手段の少なくともいずれか１つを含むため、電子機器においてレイアウト上の制約のため（例えば、操作性を確保するため）に、第１のプロセッサから離間して配設されることのある操作受付手段、表示手段、検出手段と第１のプロセッサとの間の情報の伝送により発生する高周波の電磁ノイズを抑制することができる。
【００２６】
請求項６に記載の電子機器によれば、ファクシミリ機能を有する画像形成装置において、低速動作手段が、電話回線を介して画像データの送受信を行うモデム及びＮＣＵの少なくとも一方を含むため、第１のプロセッサとの間の情報の伝送により発生する高周波の電磁ノイズを抑制することが可能な、ファクシミリ機能を有する画像形成装置を実現できる。
【発明を実施するための最良の形態】
【００２７】
以下、本発明に係るファクシミリ装置（電子機器、及び、画像形成装置の実施形態の一例）について図面に基づき説明する。本発明に係るファクシミリ装置としては、原稿の画像データをファクシミリ機能によって受信するものを例に挙げて説明するが、これ以外の通信機能により画像データを受信するものであっても本発明を適用することは可能である。
【００２８】
まず、従来のファクシミリ装置の構成について説明する。図４は、従来のファクシミリ装置の一例を示す構成図である。ファクシミリ装置９は、ＣＰＵ（中央処理装置）９０１、ＲＡＭ（Ｒａｎｄｏｍ  Ａｃｃｅｓｓ  Ｍｅｍｏｒｙ）９０２、ＲＯＭ（Ｒｅａｄ  Ｏｎｌｙ  Ｍｅｍｏｒｙ）９０３、画像メモリ９０４、モデム９０５、ＮＣＵ（Ｎｅｔｗｏｒｋ  Ｃｏｎｔｒｏｌ  Ｕｎｉｔ）９０６、コーデック（ＣＯＤＥＣ：Ｃｏｄｅｒ  ａｎｄ  Ｄｅｃｏｄｅｒ）９０７、読取部９０８、記録部９０９、操作部９１０、及び、表示部９１１を備えたものであって、各部９０１〜９１１は、バス９１２を介して通信可能に接続されている。
【００２９】
ＣＰＵ９０１は、ＲＯＭ９０３に格納された制御プログラムに従って、このファクシミリ装置９を構成する各部９０２〜９１１を制御する制御手段として機能すると共に、ソフトコーデックを実現するものであって、処理速度が高い（動作周波数の高い：例えば、１５０ＭＨｚ）ものが採用される。ＲＡＭ９０２は、ＣＰＵ９０１のワークエリア等として機能する。ＲＯＭ９０３は前記制御プログラムを格納するものである。画像メモリ９０４は、送受信した画像データ、読取部９０８で読み取った画像データ等を蓄積するものである。
【００３０】
モデム９０５は、例えばＩＴＵ−Ｔ（国際電気通信連合）の勧告Ｖ．３４規格又はこれと同様のものに従った送受信データの変調及び復調を行うものである。ＮＣＵ９０６は、電話回線を制御して電話をかけたり、切ったりする回線網制御装置であって、ＰＳＴＮ３１を介して、Ｇ３ファクシミリ装置３と通信可能に接続されている。コーデック９０７は、画像データの符号化及び復号を行うものである。すなわち、読取部９０８により読み取った原稿の画像データを送信のためにＭＨ、ＭＲ形式等により符号化し、外部から受信した画像データを復号するものである。
【００３１】
読取部９０８は、原稿の画像データを読み取るものであり、例えば、ＣＣＤカラーラインセンサ、Ａ／Ｄコンバータ、画像処理回路等で構成されている。記録部９０９は、受信した画像データ等を記録紙上に画像形成処理（印刷処理）を行うものである。例えば電子写真方式のものが適用される。操作部９１０は、ユーザが情報を入力する入力キー、タッチパネル等から構成され、ユーザによる各種の入力操作は、この操作部９１０を介して行われる。表示部９１１は、例えば操作部９１０に並設されたＬＣＤ（Ｌｉｑｕｉｄ  Ｃｒｙｓｔａｌ  Ｄｉｓｐｌａｙ）等からなり、各種の画面情報を表示する表示手段として機能する。
【００３２】
上記した構成を備えるファクシミリ装置９は、ファクシミリ機能を備え、ファクシミリ機能によって、ＰＳＴＮ３１を介してＧ３ファクシミリ装置３との間で画像データの送受信を行うものである。
【００３３】
このように、従来のファクシミリ装置９は、ファクシミリ装置９を構成する各部９０２〜９１１が動作周波数の高い１つのＣＰＵ９０１によって制御されるため、各部９０２〜９１１（例えば、表示部９１１を構成するＬＣＤ等）とＣＰＵ９０１との間の信号の伝送のための信号線（例えば、ワイヤーハーネス等）から高周波の電磁波が放出され、周辺機器に対して電磁障害（ＥＭＩ）を誘発する可能性のある高周波の電磁ノイズが発生する。特に表示部９１１を構成するＬＣＤは、外部から視認可能な位置に配設されるため、表示部９１１を構成するＬＣＤとＣＰＵ９０１との間の信号の伝送のための信号線は、他の信号線と比較して、長いものとなるため、強い高周波の電磁波が発生することになる。
【００３４】
図１は、本発明に係るファクシミリ装置の一例を示す全体構成図である。ファクシミリ装置１は、主基板１０、高速動作ユニット１４、低速動作ユニット２４（低速動作手段の一部に相当する）を備えている。主基板１０は、後述する高速ＣＰＵ１１及び低速ＣＰＵ２１を備え、ＰＳＴＮ３１を介してＧ３ファクシミリ装置３との間で画像データの送受信を制御すると共に、高速動作ユニット１４、低速動作ユニット２４の動作を制御するものである。
【００３５】
高速動作ユニット１４は、主基板１０に配設された高速ＣＰＵ１１によって制御される機器からなるユニットであって、高速ＣＰＵ１１の動作周波数（ここでは、１５０ＭＨｚ：第１の周波数に相当する）に適合する信号によって制御されるものである。低速動作ユニット２４は、主基板１０に配設された低速ＣＰＵ２１によって制御される機器からなるユニットであって、低速ＣＰＵ２１の動作周波数（ここでは、３０ＭＨｚ：第２の周波数に相当する）に適合する信号によって制御されるものである。
【００３６】
主基板１０は、高速ＣＰＵ１１（第１のプロセッサに相当する）、低速ＣＰＵ２１（第２のプロセッサに相当する）、高速動作デバイス１２、低速動作デバイス２２（低速動作手段の一部に相当する）、バス１３、２３及びシリアルインターフェース１１１を備えている。高速動作デバイス１２、高速動作ユニット１４は、バス１３を介して高速ＣＰＵ１１に接続され、低速動作デバイス２２、低速動作ユニット２４は、バス２３を介して低速ＣＰＵ２１に接続されている。
【００３７】
高速ＣＰＵ１１は、高い動作周波数（ここでは、１５０ＭＨｚ）で動作し、高速動作デバイス１２及び高速動作ユニット１４を制御すると共に、シリアルインターフェース１１１及び低速ＣＰＵ２１を介して低速動作デバイス２２及び低速動作ユニット２４を制御するものである。すなわち、高速ＣＰＵ１１は、ファクシミリ装置１の全体の動作を制御するものである。
【００３８】
低速ＣＰＵ２１は、低い動作周波数（ここでは、３０ＭＨｚ）で動作し、高速ＣＰＵ１１からの指示情報等（第２の情報に相当する）をシリアルインターフェース１１１を介して受け付け、受け付けた指示情報等をバス２３を介して低速動作デバイス２２及び低速動作ユニット２４に伝送するものである。また、低速ＣＰＵ２１は、低速動作デバイス２２及び低速動作ユニット２４からの動作状態情報等（第１の情報に相当する）をバス２３を介して受け付け、シリアルインターフェース１１１を介して高速ＣＰＵ１１へ伝送するものである。
【００３９】
高速動作デバイス１２は、高応答の制御を必要とするデバイスであって、高速ＣＰＵ１１によってバス１３を介して制御されるデバイスである。低速動作デバイス２２は、高応答の制御を必要としないデバイスであって、高速ＣＰＵ１１によって、バス２３、低速ＣＰＵ２１及びシリアルインターフェース１１１を介して制御されるデバイスである。
【００４０】
シリアルインターフェース１１１は、高速ＣＰＵ１１と低速ＣＰＵ２１との間において種々の情報をシリアル方式で伝送可能とするものである。
【００４１】
図２は、図１に示す高速動作デバイス１２及び高速動作ユニット１４の一例を示す構成図である。高速動作デバイス１２としては、ＲＡＭ１２１、ＲＯＭ１２２、メモリコントローラ１２３、画像メモリ１２４、スキャナ駆動制御回路１２５、スキャナ画像形成回路１２６、スキャナ用コーデック１２７、スキャナ用メモリ１２８、プリンタ駆動制御回路１２９、プリンタ画像形成回路１３０、プリンタ用コーデック１３１、及び、プリンタ用メモリ１３２を備えている。高速動作ユニット１４は、スキャナユニット１４１及びプリンタユニット１４２を備えている。
【００４２】
高速ＣＰＵ１１は、ＲＯＭ１２２に格納された制御プログラムに従って、このファクシミリ装置１を構成する各部１２１〜１３２、１４１、１４２を制御する制御手段として機能すると共に、ソフトコーデックを実現するものであって、処理速度が高い（動作周波数の高い：例えば、１５０ＭＨｚ＝第１の周波数に相当する）ものが採用される。また、高速ＣＰＵ１１は、図１に示す低速動作デバイス２２及び低速動作ユニット２４を制御するべく低速ＣＰＵ２１との間で指示情報、動作状態情報等の情報の授受を、シリアルインターフェース１１１を介して行うものである。
【００４３】
ＲＡＭ１２１は、高速ＣＰＵ１１のワークエリア等として機能する。ＲＯＭ１２２は前記制御プログラムを格納するものである。画像メモリ１２４は、送受信した画像データ、スキャナユニット１４１で読み取った画像データ等を蓄積するものである。メモリコントローラ１２３は、高速ＣＰＵ１１からの指示に基づいて、画像メモリ１２４への画像データ等の書き込み、画像メモリ１２４からの画像データ等の読み出しを制御するものである。
【００４４】
スキャナ駆動制御回路１２５は、高速ＣＰＵ１１からの指示に基づいて、ハーネス１４１１（信号線の一部に相当する）を介してスキャナユニット１４１の駆動制御を行うものである。スキャナ画像形成回路１２６は、高速ＣＰＵ１１からの指示に基づいて、スキャナユニット１４１からの走査毎の画像データを用いて読み取られた原稿に対応する画像データである原稿画像データを形成し、形成後の原稿画像データをスキャナ用メモリ１２８に格納するものである。
【００４５】
スキャナ用コーデック１２７は、高速ＣＰＵ１１からの指示に基づいて、スキャナ用メモリ１２８に格納された原稿画像データをファクシミリ送信用のＭＨ形式、ＭＲ形式、ＭＭＲ形式、ＪＢＩＧ形式等の画像データ（以下、送信用画像データという）に符号化し、送信用画像データを画像メモリ１２４に格納するものである。画像メモリ１２４に格納された送信用画像データは、高速ＣＰＵ１１からの指示に基づいて、後述するモデム２２４等を介してＧ３ファクシミリ装置３へ伝送される。スキャナ用メモリ１２８は、高速ＣＰＵ１１からの指示に基づいて、スキャナ画像形成回路１２６により形成された原稿画像データを格納するものである。
【００４６】
プリンタ駆動制御回路１２９は、高速ＣＰＵ１１からの指示に基づいて、ハーネス１４２１（信号線の一部に相当する）を介してプリンタユニット１４２の駆動制御を行うものである。プリンタ用コーデック１３１は、高速ＣＰＵ１１からの指示に基づいて、ファクシミリ受信された画像データであるＭＨ、ＭＲ形式、ＭＭＲ形式又はＪＢＩＧ形式等に符号化された受信画像データを復号して印刷用画像データを形成し、プリント用メモリ１３２に格納するものである。
【００４７】
プリント用メモリ１３２は、プリンタ用コーデック１３１によって形成された印刷用画像データをビットマップとして格納するものである。プリンタ画像形成回路１３０は、高速ＣＰＵ１１からの指示に基づいて、プリント用メモリ１３２に格納された印刷用画像データを読み出して、プリンタユニット１４２でのプリント処理に適した解像度、方向に変換し、プリンタユニット１４２に伝送するものである。
【００４８】
スキャナユニット１４１は、ＣＣＤ等を備えたフラットベッドスキャナ（Ｆｌａｔｂｅｄ  Ｓｃａｎｎｅｒ）からなり、原稿に形成された画像を読み取り、原稿画像データを形成するものである。プリンタユニット１４２は、感光体ドラム等を備え、高速ＣＰＵ１１からの指示に基づいて、電子写真方式でプリント処理を行うものである。
【００４９】
ハーネス１４１１は、上述のように、高速ＣＰＵ１１からの指示に基づいてスキャナユニット１４１を制御するべく、スキャナ駆動制御回路１２５とスキャナユニット１４１との間で各種の信号を伝送するものである。そこで、ハーネス１４１１内を伝送される信号は、高速ＣＰＵ１１からの指示に基づくものであるため、高周波成分を含むものとなるが、スキャナ駆動制御回路１２５とスキャナユニット１４１との間の距離を短く（例えば、１０ｃｍ程度と）することにより、あるいは、シールドすることにより、発生する高周波の電磁ノイズを削減することが可能となる。
【００５０】
同様にハーネス１４２１は、高速ＣＰＵ１１からの指示に基づいてプリンタユニット１４２を制御するべく、プリンタ駆動制御回路１２９とプリンタユニット１４２との間で各種の信号を伝送するものである。そこで、ハーネス１４２１内を伝送される信号は、高速ＣＰＵ１１からの指示に基づくものであるため、高周波成分を含むものとなるが、プリンタ駆動制御回路１２９とプリンタユニット１４２との間の距離を短く（例えば、１０ｃｍ程度と）することにより、あるいは、シールドすることにより、発生する高周波の電磁ノイズを削減することが可能となる。
【００５１】
図３は、図１に示す低速動作デバイス２２及び低速動作ユニット２４の一例を示す構成図である。低速動作デバイス２２は、ＲＡＭ２２１、ＲＯＭ２２２、ＮＣＵ２２３、及び、モデム２２４を備えている。低速動作ユニット２４は、パネル基板２４１（操作受付手段及び表示手段に相当する）及びセンサ類２４２（検出手段に相当する）を備えている。
【００５２】
低速ＣＰＵ２１は、ＲＯＭ２２２に格納された制御プログラムに従って、このファクシミリ装置１を構成する各部２２１〜２２４、２４１、２４２を制御する制御手段として機能するものであって、処理速度が遅い（動作周波数の低い：例えば、３０ＭＨｚ＝第２の周波数に相当する）ものが採用される。また、低速ＣＰＵ２１は、図１に示す低速動作デバイス２２及び低速動作ユニット２４を制御するべく高速ＣＰＵ１１との間で指示情報、動作状態情報等の情報の授受を、シリアルインターフェース１１１を介して行うものである。
【００５３】
ＲＡＭ２２１は、低速ＣＰＵ２１のワークエリア等として機能する。ＲＯＭ２２２は前記制御プログラムを格納するものである。ＮＣＵ２２３は、電話回線を制御して電話をかけたり、切ったりする回線網制御装置であって、ＰＳＴＮ３１を介して、Ｇ３ファクシミリ装置３と通信可能に接続されている。モデム２２４は、例えばＩＴＵ−Ｔ（国際電気通信連合）の勧告Ｖ．３４規格又はこれと同様のものに従った送信データの変調及び受信データの復調を行うものである。
【００５４】
パネル基板２４１は、低速ＣＰＵ２１とハーネス２４１１（信号線の一部に相当する）を介して通信可能に接続され、外部からの操作を受け付けるタッチパネルと種々の画像を外部から視認可能に表示するＬＣＤとを含む操作パネルを制御するものである。例えば、タッチパネルを介して入力された操作情報は、ハーネス２４１１を介して低速ＣＰＵ２１に伝送され、更に、低速ＣＰＵ２１から高速ＣＰＵ１１へ伝送される。また、例えば、高速ＣＰＵ１１からシリアルインターフェース１１１を介して低速ＣＰＵ２１に伝送された表示情報は、ハーネス２４１１を介してパネル基板２４１に伝送され、ＬＣＤ等に表示される。
【００５５】
センサ類２４２は、低速ＣＰＵ２１とハーネス２４２１（信号線の一部に相当する）を介して通信可能に接続され、種々の状態量（例えば、感光体の表面温度、記録紙の有無等）を検出するものである。センサ類２４２からの信号は、ハーネス２４２１を介して低速ＣＰＵ２１に伝送され、更に、シリアルインターフェース１１１を介して高速ＣＰＵ１１に伝送され、種々の制御に使用される。
【００５６】
ここで、パネル基板２４１は、外部からの操作を受け付けるものであるため、ファクシミリ装置１において、操作性の良好な位置（通常は、正面上部）に配設され、低速ＣＰＵ２１は、主基板１０上に配設されるものであるため、ファクシミリ装置１において、各種機器とのインターフェース等を考慮して適正な位置（通常は、背面側）に配設される。また、ハーネス２４１１は、パネル基板２４１と低速ＣＰＵ２１とを通信可能に接続するものであり、上述のように、パネル基板２４１と低速ＣＰＵ２１とは、ファクシミリ装置１において離間した位置に配設されるものであるため、ハーネス２４１１の長さは比較的長い（１ｍ程度の）ものとなるが、伝送される信号が高周波成分をほとんど含まないため、高周波の電磁波は発生しにくい。
【００５７】
また、センサ類２４２は、ファクシミリ装置１において、測定対象物との関係で位置が制約されるものである。そこで、ハーネス２４２１は、センサ類２４２と低速ＣＰＵ２１とを通信可能に接続するものであり、センサ類２４２と低速ＣＰＵ２１とは、ファクシミリ装置１において離間した位置に配設される場合があるため、ハーネス２４２１の長さは比較的長い（１ｍ程度の）ものとなることがあるが、伝送される信号が高周波成分をほとんど含まないため、高周波の電磁波は発生しにくい。
【００５８】
このようにして、高い周波数（ここでは、１５０ＭＨｚ）で動作する高速ＣＰＵ１１によって、この高速ＣＰＵ１１に近接して配設され、低い周波数（ここでは、３０ＭＨｚ）で動作する低速ＣＰＵ２１を介して、低い周波数での動作が可能な低速動作デバイス２２及び低速動作ユニット２４から動作状態情報等が受け付けられるため、低速動作デバイス２２及び低速動作ユニット２４からの動作状態情報等を高速ＣＰＵ１１に伝送する際に発生する高周波の電磁ノイズを抑制することが可能となる。
【００５９】
また、高速ＣＰＵ１１から低速動作デバイス２２及び低速動作ユニット２４に対して伝送される指示情報等に関しても、高速ＣＰＵ１１に近接して配設され、低い周波数（ここでは、３０ＭＨｚ）で動作する低速ＣＰＵ２１を介して伝送されるため、高速ＣＰＵ１１からの指示情報等を低速動作デバイス２２及び低速動作ユニット２４に伝送する際に発生する高周波の電磁ノイズを抑制することが可能となる。
【００６０】
更に、高速ＣＰＵ１１と低速ＣＰＵ２１との間の通信は、シリアルインターフェース１１１により行われるため、高速ＣＰＵ１１と低速ＣＰＵ２１との間の通信が簡単な構成で実現される。
【００６１】
加えて、高速ＣＰＵ１１の動作周波数（ここでは、１５０ＭＨｚ）が、低速ＣＰＵ２１の動作周波数（ここでは、３０ＭＨｚ）の所定数倍（例えば、５倍）以上の周波数であるため、この所定数が大きい程、低速ＣＰＵ２１の動作周波数が小さくなり、高速ＣＰＵ１１と低速動作デバイス２２及び低速動作ユニット２４との間において情報を伝送する際に発生する高周波の電磁ノイズを更に抑制することが可能となる。
【００６２】
また、低速動作ユニット２４が、外部からの操作情報を受け付けると共に外部から視認可能に画像を表示するパネル基板２４１、及び、所定の状態量（温度等）を検出するセンサ類２４２を含むため、ファクシミリ装置１において、レイアウト上の制約のため（例えば、操作性を確保するため）に、高速ＣＰＵ１１から離間して配設されることのあるパネル基板２４１、センサ類２４２と高速ＣＰＵ１１との間の情報の伝送により発生する高周波の電磁ノイズを抑制することが可能となる。
【００６３】
更に、ファクシミリ装置１において、低速動作デバイス２２が、電話回線を介して画像データの送受信を行うＮＣＵ２２３及びモデム２２４を含むため、高速ＣＰＵ１１との間の情報の伝送により発生する高周波の電磁ノイズを抑制することが可能なファクシミリ装置が実現される。
【００６４】
なお、本発明は、上記実施形態に限定されるものではなく、以下の形態でもよい。
（Ａ）本実施形態においては、電子機器がファクシミリ装置１である場合について説明したが、電子機器がファクシミリ機能を有する複合機である形態でもよい。更に、その他の高速処理の必要な電子機器（例えば、写真画像等の画像処理を行う画像処理装置等）である形態でもよい。
【００６５】
（Ｂ）本実施形態においては、高速ＣＰＵ１１と低速ＣＰＵ２１との間の通信が、シリアルインターフェース１１１を介して行われる場合について説明したが、パラレルインターフェースを介して行われる形態でもよい。
【００６６】
（Ｃ）本実施形態においては、低速ＣＰＵ２１の動作周波数が高速ＣＰＵ１１の動作周波数の１／５である場合について説明したが、低速ＣＰＵ２１の動作周波数が、その他の周波数である形態でもよい。低速ＣＰＵ２１の動作周波数が低い程、高周波の電磁ノイズの低減効果は大きい。
【図面の簡単な説明】
【００６７】
【図１】本発明に係るファクシミリ装置の一例を示す全体構成図である。
【図２】図１に示す高速動作デバイス及び高速動作ユニットの一例を示す構成図である。
【図３】図１に示す低速動作デバイス及び低速動作ユニットの一例を示す構成図である。
【図４】従来のファクシミリ装置の一例を示す構成図である。
【符号の説明】
【００６８】
１  ファクシミリ装置（画像形成装置、電子機器）
１０  主基板
１１  高速ＣＰＵ
１１１  シリアルインターフェース
１２  高速動作デバイス
１４  高速動作ユニット
２１  低速ＣＰＵ
２２  低速動作デバイス（低速動作手段の一部）
２４  低速動作ユニット（低速動作手段の一部）
３  Ｇ３ファクシミリ装置
【図１】
2007150727.tif 000003
【図２】
2007150727.tif 000004
【図３】
2007150727.tif 000005
【図４】
2007150727.tif 000006